【事件の表示】
　特願２００４−　６４６５７「原稿搬送装置」拒絶査定不服審判事件〔平成１７年　９月１５日出願公開、特開２００５−２５３０１３、請求項の数（２４）〕について、次のとおり審決する。
【結　論】
　原査定を取り消す。
　本願の発明は、特許すべきものとする。
【理　由】
１．本願発明　
　
　本願の請求項に係る発明は、平成１９年７月１７日付け手続補正書により補正された特許請求の請求項１〜２４に記載された以下のとおりのものである。
　
【請求項１】　所定の搬送方向に搬送される原稿の画像を読取位置で読み取る読取手段を有する画像読取装置に搭載され、下側に配置された給紙トレイ部から前記読取位置を経て前記給紙トレイ部より上側に配置された排紙トレイ部まで原稿を搬送するために、第１の搬送方向と、この第１の搬送方向とは反対側の第２の搬送方向とからなる略Ｕターン形状の原稿搬送路が備えられる原稿搬送装置において、
　前記Ｕターン形状の原稿搬送路を構成する反転回転駆動部材の上下高さの範囲内には、前記給紙トレイ部に堆積状態にて載置された複数の原稿を吸入するための吸入手段と、この吸入手段で吸入された複数枚の原稿から１の原稿を分離して前記反転回転駆動部材の方向に搬送するための分離手段とが配置され、
　前記吸入手段は吸入ローラとその上側周面に弾力的に当接可能な吸入ニップ片にて構成され、
　前記分離手段は分離ローラとその上側周面に弾力的に当接可能な分離パッドにて構成され、
　前記吸入ローラ及び前記分離ローラは、その各直径の大部分が前記給紙トレイ部の上面よりも下側に位置するように配置され、且つ前記第１の搬送方向に沿ってほぼ水平状の同じ高さ位置に配置され、
　前記吸入ローラの上側周面に前記給紙トレイ部に載置された原稿の下面が当接するように構成され、
　前記吸入手段と前記分離手段と前記反転回転駆動部材との上方を覆うための開閉可能な蓋カバー体には、前記排紙トレイ部へ原稿を導く排出シュート部を設けたことを特徴とす
る原稿搬送装置。
【請求項２】　前記反転回転駆動部材は大径の反転ローラにて構成され、前記吸入手段及び前記分離手段は前記反転ローラの配置の高さ内に位置されていることを特徴とする請求項１に記載の原稿搬送装置。
【請求項３】　前記反転ローラは、前記読取位置の上部に配置されて、前記原稿を読取位置へ搬送する動作と、前記原稿を読取位置から排出シュート部に排出する動作とを同時に行うように構成されていることを特徴とする請求項２に記載の原稿搬送装置。
【請求項４】　前記読取位置より搬送下流側で反転ローラの周面に当接可能な従動ローラは、搬送方向に沿って少なくとも２つ設けられ、搬送最下流側に位置する従動ローラと反転ローラとの当接位置は、前記蓋カバー体が閉じた状態において、前記排出シュート部の最高高さ位置よりも低い位置に配置されていることを特徴とする請求項２または３に記載の原稿搬送装置。
【請求項５】　前記吸入手段と分離手段とは、閉じた状態の前記蓋カバー体における排出シュート部の下方に配置されていることを特徴とする請求項１乃至４のいずれかに記載の原稿搬送装置。
【請求項６】　前記吸入ローラと前記分離ローラとはその直径及び周速度を等しくなるように設定したことを特徴とする請求項５に記載の原稿搬送装置。
【請求項７】　前記蓋カバー体は、前記反転ローラから離間し、且つ前記排出シュート部近傍位置に設けられた回動軸を中心に回動可能であって、前記蓋カバー体を閉じたときには、前記吸入ニップ片が吸入ローラに、前記分離パッドが前記分離ローラに、また前記読取位置より搬送下流側で前記従動ローラが前記反転ローラにそれぞれ弾力的に押圧されると共に、当該カバー部材が開いたときには、前記吸入ニップ片が吸入ローラから、前記分離パッドが前記分離ローラから、また前記従動ローラが前記反転ローラから、それぞれ離間するように構成されていることを特徴とする請求項４乃至６のいずれかに記載の原稿搬送装置。
【請求項８】　前記読取位置より搬送上流側に配置された従動ローラは、原稿搬送装置の本体側に設けた移動可能なフレームに設けられ、該フレームはばね手段により付勢されて前記従動ローラが反転ローラに押圧されていることを特徴とする請求項２乃至７のいずれかに記載の原稿搬送装置。
【請求項９】　前記読取位置より搬送上流側に配置された従動ローラを前記反転ローラから強制的に離間させるための強制離間手段を備えたことを特徴とする請求項８に記載の原稿搬送装置。
【請求項１０】　前記搬送最下流側に位置する従動ローラと前記排出シュート部との間には、前記搬送最下流側の従動ローラと反転ローラとの当接位置より前記原稿を上方に案内するための案内部材を備えたことを特徴とする請求項２乃至９のいずれかに記載の原稿搬送装置。
【請求項１１】　前記搬送最下流側の従動ローラと反転ローラとの当接位置より前記原稿を持ち上げるための弾性支持片をさらに備えたことを特徴とする請求項９または１０に記載の原稿搬送装置。
【請求項１２】　前記弾性支持片はその側断面がほぼＬ字型に形成され、前記弾性支持片の基端部を前記反転ローラの左右両側方に配置される被嵌部材に固定し、前記弾性支持片のほぼＬ字型から下向きに延伸する傾き自由端部は、前記被嵌部材に穿設されたスリット孔に挿入されていることを特徴とする請求項１１に記載の原稿搬送装置。
【請求項１３】　前記蓋カバー体の内面には、原稿の搬送方向と直交する方向に適宜間隔でリブが形成され、前記弾性支持片は前記リブの配置箇所の間に配置されていることを特徴とする請求項１２に記載の原稿搬送装置。
【請求項１４】　前記搬送最下流側の従動ローラと反転ローラとの当接位置より前記原稿を掻上げるための掻き出しローラをさらに備えたことを特徴とする請求項９乃至１３のいずれかに記載の原稿搬送装置。
【請求項１５】　前記排出シュート部の少なくとも一部の上方に、庇状上部案内部材をさらに備えたことを特徴とする請求項１０に記載の原稿搬送装置。
【請求項１６】　前記反転ローラの下方に配設され、前記第１の搬送方向に搬送される原稿がその画像記録面を下向きにして部分的に露出される露出開口部と、該露出開口部から部分的に露出される原稿の画像記録面が摺動する第１の透明板部材と、該第１の透明板部材の下方に位置して前記原稿の画像記録面を読取る第１の読取手段とを備えたことを特徴とする請求項２乃至１５のいずれかに記載の原稿搬送装置。
【請求項１７】　前記露出開口部で部分的に露出される原稿に平面部を形成するために、前記反転ローラの周面から一時的に原稿を離間させるようにする第１の押圧部材を設けたことを特徴とする請求項１４に記載の原稿搬送装置。
【請求項１８】　前記第１の押圧部材は、前記反転ローラを挟んで、原稿の搬送方向と直交する原稿の幅方向の両側に配置され、前記第１の透明板部材と対面する部位が略平板状に形成されていることを特徴とする請求項１６に記載の原稿搬送装置。
【請求項１９】　前記第１の押圧部材の少なくとも一部は、前記反転ローラの支持軸に吊支されていることを特徴とする請求項１８に記載の原稿搬送装置。
【請求項２０】　原稿をその画像記録面を下向きにして静止載置可能な第２の透明板部材と、この第２の透明板部材上に静止載置された原稿を上から押えるための第２の押圧部材と、前記第２の押圧部材の上部を覆うカバー体と、前記第２の透明板部材の下方を移動して原稿の画像記録面を読取る第２の画像読取手段とをさらに備えたことを特徴とする請求項１７乃至１９のいずれかに記載の原稿搬送装置。
【請求項２１】　前記第１の押圧部材と第２の押圧部材とは一体的に形成されていることを特徴とする請求項２０に記載の原稿搬送装置。
【請求項２２】　前記カバー体の上面には、原稿を堆積させて載置する給紙トレイ部が形成され、　該給紙トレイ部のうち第１の搬送方向の下流側部位には、その上方に、読取後の原稿を堆積させる排出トレイ部が形成され、前記給紙トレイ部のうち第１の搬送方向の上流側部位は読取後の原稿を堆積させる積載部と兼用されていることを特徴とする請求項１８または２１に記載の原稿搬送装置。
【請求項２３】前記カバー体には、前記給紙トレイ部のうち最後部に原稿ストッパー体が設けられていることを特徴とする請求項２０乃至２２のいずれかに記載の原稿搬送装置。
【請求項２４】　前記原稿ストッパー体は、前記給紙トレイ部の最後部に収納可能に設けられていることを特徴とする請求項２３に記載の原稿搬送装置。
　　
２．引用例に記載の発明
　
　原審で引用された各刊行物には、本願発明に関連する発明として、それぞれ次の内容が記載されている。
　
（１）特開平０６−３４３１２３号公報
　
　シート状原稿を搬送する原稿搬送機構と、該原稿搬送機構により搬送されるシート状原稿の画像を読み取る画像読み取りユニットを備えるシート状原稿読み取り機構と、ブック状の原稿を読み取る移動型画像読み取りユニットを備えるブック状原稿読み取り機構と、を備える画像読み取り装置において、
　前記ブック状の原稿を読み取る移動型画像読み取りユニットが前記シート状原稿の画像を読み取る画像読み取りユニットを兼ねるものであり、そして該画像読み取り装置の原稿搬送機構はＵターン機構を有する画像読み取り装置。
　
（２）特開２００２−３３５３７２号公報
　
　原稿台ガラス３を介在させてＣＩＳ(Contact Image Sensor)５に対向して配置され、該原稿台ガラス３上に原稿Ｄを密着させつつ搬送する第１、第２の密着ローラ12，13を複数並設して構成し、下給紙方式を採用した（第４図参照）た画像読取装置であって、ローラ１２〜１５を含む反転回転駆動機構全体の上下高さ内に、原稿吸入手段及び原稿分離手段が配置された、画像読取装置。
　
（３）特開２０００−２８９８６５号公報
　
　正転する搬送回転体と逆転する分離回転体によりシート材を一枚ずつ分離搬送するシート材分離部と、
　搬送回転体と分離回転体の軸間距離を相対的に変更可能な軸間距離変更手段と、
　軸間距離変更手段を制御する制御手段と、
　軸間距離を任意に設定可能な操作部と、
　操作部によって設定された軸間距離の設定値を表示する表示部とを有していて、
　シート材毎に軸間距離変更手段と制御手段によって軸間距離を自動的に調整しながら給紙をおこなう第１給紙モードと、給紙動作時には制御手段が表示部に表示された設定値に軸間距離を固定して給紙をおこなう第２給紙モードとが任意に選択可能であり、
　第２給紙モード選択時の軸間距離設定を行う際に、第１給紙モードにてシート材を一枚もしくは任意の複数枚給紙したときに自動調整された軸間距離を検知しその検知結果に基づいた軸間距離の設定値を表示部に表示する軸間距離設定目安動作の実行が可能であることを特徴とする給紙装置。
　
３．対比
　
　本願発明と引用例１（特開平０６−３４３１２３号公報）に記載された発明（以下、「引用発明」という。）とを対比すると、本願発明と引用発明とは次の点で相違する。
　
（相違点１）
　本願発明の画像読取装置に搭載される原稿搬送装置の給紙方式は、下側に配置された給紙トレイ部から読取位置を経て給紙トレイ部より上側に配置された排紙トレイ部まで原稿を搬送する、いわゆる下給紙方式であるのに対して、
　引用発明の画像読取装置に搭載される原稿搬送装置の給紙方式は、上給紙方式である点。
　
（相違点２）
　本願発明では、 給紙トレイ部に堆積状態にて載置された複数の原稿を吸入するための吸入手段と、この吸入手段で吸入された複数枚の原稿から１の原稿を分離して反転回転駆動部材の方向に搬送するための分離手段とは、Ｕターン形状の原稿搬送路を構成する反転回転駆動部材の上下高さの範囲内に配置されているのに対して、
　引用発明では、ピックアップローラ７（本願発明の吸入ローラに相当）と分離ローラ８及び分離パッド９（本願発明の分離手段に相当）は、密着ローラ１２，１３（本願発明の反転回転駆動部材に相当）よりも高い位置に配置されており、かつ７，８，９は原稿給送トレイ６の上面よりも高い位置に配置されている点。
　
（相違点３）
　本願発明では、吸入手段は吸入ローラとその上側周面に弾力的に当接可能な吸入ニップ片にて構成され、
　分離手段は分離ローラとその上側周面に弾力的に当接可能な分離パッドにて構成され、
　吸入ローラ及び分離ローラは、その各直径の大部分が給紙トレイ部の上面よりも下側に位置するように配置され、且つ第１の搬送方向に沿ってほぼ水平状の同じ高さ位置に配置され、
　吸入ローラの上側周面に給紙トレイ部に載置された原稿の下面が当接するように構成されているのに対して、
　引用発明では、ピックアップローラ７（本願発明の吸入ローラに相当）と、分離ローラ８及び分離パッド９（本願発明の分離手段に相当）は、本願発明の上記(1)〜(4)に示される如く構成され且つ配置されていない点。
　
（相違点４）
　本願発明においては、吸入手段と分離手段と反転回転駆動部材との上方を覆うための開閉可能な蓋カバー体には排紙トレイ部へ原稿を導く排出シュート部が設けられているのに対して、
　引用発明に於いては、カバー体には排紙トレイ部へ原稿を導く排出シュート部が設けられていない点。
　
４．当審の判断　
（１）相違点１について
　
  原審が拒絶の理由に引用した引用例２（特開２００２−３３５３７２号公報）には、下給紙方式を採用した画像読取装置が開示されている（図面第４図及び関連説明参照。）から、この引用例２に記載された下給紙方式を、Ｕターン機構を有する原稿搬送機構を備えた引用発明に適用して、本願発明の如く「下給紙方式であって且つＵターン機構を有する原稿搬送機構を備えた原稿読取装置」を構成することは当業者が適宜なし得ることであるといえる。
　
（２）相違点２について
　
　原審が引用した引用例２（特開２００２−３３５３７２号公報）には、ローラ１２〜１５を含む反転回転駆動機構全体の上下高さ内に、原稿吸入手段及び原稿分離手段が配置された画像読取装置が開示されている。
　この引用例２に記載された反転回転駆動機構全体は反転回転駆動部材と機能的に等価であるから、この技術思想を引用発明に適用することは当業者が適宜なし得ることであると言える。
　
（３）相違点３、４について
　
　しかしながら、引用例２には、前記相違点３、４を解消するに足るだけの記載がなされていない。
　そして、原審が拒絶査定時に周知例として引用した特開２０００−２８９８６５号（引用例３）には、確かにピックアップローラー２１１を有するピックアップ部２１０（本願発明の吸入手段に相当）と、フィードローラー２２１と分離ローラー２６１とを有する分離搬送部２５０（本願発明の分離手段に相当）が記載されているものの、この引用例３にも、前記相違点３、４の構成の問題点及び位置の配置の問題点を悉く解消するに足るだけの記載がない。
　したがって、前記相違点３及び４を構成する技術事項を、当業者が、引用発明から容易に発明し得たとはいえない。
　
　本願発明は、吸入ローラの上側周面に給紙トレイ部に載置された原稿の下面に上側修面が当接するように構成されている吸入ローラと、これにより吸入された原稿を分離するための分離ローラが、Ｕターン形状の原稿搬送路を構成する反転回転駆動部材の上下高さの範囲内に配置することによってされていることを特徴とするものであって、これにより給紙機構の薄型化を図るという有意な効果を奏するものであるから、これを引用刊行物に記載の発明に基づいて当業者が容易に発明をすることができたものであるとすることはできない。
　
　そして、残る請求項２〜２４に係る発明は、すべて請求項１の内容を引用する発明であるから、これら請求項に係る発明についても引用刊行物に記載された発明に基づいて当業者が容易に発明をすることができたものであるとすることはできない。